(57)【要約】【課題】ディジタル伝送システムの伝送状態に関する情報を表示する伝送状態表示装置で、ＢＥＲなどの伝送状態に関する情報の時間変化を効果的に表示する。【解決手段】変換手段５が受信側により受信されたＨＤ映像をＳＤ映像へ変換し、取得手段４が伝送状態に関する情報を取得し、記憶手段４が取得された情報を記憶し、表示制御手段４〜６が変換されたＳＤ映像の上側又は下側の映像非表示部分の一方又は両方に記憶された情報の時間変化のグラフが配置されるように当該ＳＤ映像及び当該グラフを画面に表示する。【選択図】  図１
2010016675.tif 000002
【特許請求の範囲】
【請求項１】
ディジタル伝送システムの伝送状態に関する情報を表示する伝送状態表示装置において、
受信側により受信されたＨＤ映像をＳＤ映像へ変換する変換手段と、
前記伝送状態に関する情報を取得する取得手段と、
前記取得手段により取得された情報を記憶する記憶手段と、
前記変換手段により変換されたＳＤ映像の上側又は下側の映像非表示部分の一方又は両方に、前記記憶手段に記憶された情報の時間変化のグラフが配置されるように、当該ＳＤ映像及び当該グラフを画面に表示する表示制御手段と、
を備えたことを特徴とする伝送状態表示装置。
【請求項２】
請求項１に記載の伝送状態表示装置において、
前記変換手段により変換されたＳＤ映像が前記画面に表示されるときにおける当該ＳＤ映像の上側と下側の映像非表示部分の割合を変更する指示を人から受け付ける受付手段と、
前記受付手段により受け付けられた指示に従って、前記ＳＤ映像の上側と下側の映像非表示部分の割合を変更する変更手段と、
を備えたことを特徴とする伝送状態表示装置。
【請求項３】
請求項１又は請求項２に記載の伝送状態表示装置において、
送信側から受信側へ伝送されるＨＤ映像は、移動中継の映像であり、
前記伝送状態に関する情報について異常を検出する異常検出手段を備え、
前記表示制御手段は、前記異常検出手段により異常が検出された場合には、前記グラフにおける当該異常が検出された位置に対応させて、当該異常が検出された前記移動中継における距離の値を前記画面に表示する、
ことを特徴とする伝送状態表示装置。
【発明の詳細な説明】
【技術分野】
【０００１】
本発明は、例えばディジタル放送システムにおける伝送状態を表示する伝送状態表示装置に関し、特に、ビット誤り率（ＢＥＲ：Ｂｉｔ  Ｅｒｒｏｒ  Ｒａｔｅ）などの伝送状態に関する情報の時間変化を効果的に表示する伝送状態表示装置に関する。
【背景技術】
【０００２】
伝送の一例として、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式について述べる。
近年、ヨーロッパやアメリカ及び日本でディジタル放送が検討されており、その変調方式としてＯＦＤＭ方式の採用が有力視されている。ＯＦＤＭ方式とは、マルチキャリア変調方式の一種で、多数のディジタル変調波を加え合わせたものを通信する。
具体的に、時間をｔとし、キャリアの本数をＮとし、各キャリアのディジタル変調波をαｋ（ｔ）とすると、ＯＦＤＭ信号β（ｔ）は（式１）のように上記信号単位から構成される。
【０００３】
【数１】
2010016675.tif 000003
【０００４】
図１３には、ＯＦＤＭ変復調装置の基本的な構成例をブロック図で示してある。
本例の伝送システムでは、送信側（変調側）である処理Ａ部１と受信側（復調側）である処理Ｃ部２とが例えば無線回線を介して接続されている。
【０００５】
送信側の処理Ａ部１において行われる動作の概略の一例を示す。
クロック発振器１０１から発振される周波数１６ＭＨｚのクロック信号ＣＫが各部１０２〜１０７に供給される。
伝送路符号化部１０２は、入力されるデータＤｉｎを処理してデータＤｉｉとして符号化部１０３へ出力し、また、他の各部１０３〜１０６に、同期シンボル期間の開始を示すＦＳＴ信号（フレームスタート信号）をフレーム周期である９００シンボル毎に出力する。
【０００６】
符号化部１０３は、入力データＤｉｉを符号化し、ＩとＱの２軸にマッピングしたＲｆとＩｆを逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）部１０４へ出力する。
ＩＦＦＴ部１０４は、マッピングされた入力データＲｆ、Ｉｆを周波数成分と見なして、１０２４サンプルからなる時間軸信号Ｒ、Ｉへ変換して、ガード付加部１０５へ出力する。
ガード付加部１０５は、１０２４サンプルからなるＲ、Ｉの開始期間波形の例えば最初の４８サンプルの波形を１０２４サンプル後に付加して、合計１０７２サンプルの時間波形Ｒｇ、Ｉｇを同期シンボル挿入部１０６へ出力する。この４８サンプルは、反射波混入時の緩衝帯となる。
【０００７】
同期シンボル挿入部１０６は、入力されたＲｇ、Ｉｇについて、該情報シンボル８９４個毎に、予めメモリ等に記憶された６シンボルからなる同期波形を挿入してＲｓｇ、Ｉｓｇを作成して、直交変調処理部１０７へ出力する。
直交変調処理部１０７では、入力されたディジタル信号Ｒｓｇ、Ｉｓｇをアナログ信号へ変換した後に直交変調して出力する。この直交変調の結果の信号（ＯＦＤＭ変調波）は、例えばＵＨＦ（Ｕｌｔｒａ  Ｈｉｇｈ  Ｆｒｅｑｕｅｎｃｙ）帯若しくはマイクロ波帯を用いて処理Ｃ部２へ伝送される。
【０００８】
受信側の処理Ｃ部２において行われる動作の概略の一例を示す。
ＡＧＣ（Ａｕｔｏｍａｔｉｃ  Ｇａｉｎ  Ｃｏｎｔｒｏｌ）部２０１では、伝送されてきたＯＦＤＭ変調波に対して自動利得制御を行って、直交復調処理部２０２へ出力する。
直交復調処理部２０２では、入力信号を復調してベースバンド信号へ変換した後に、Ａ／Ｄ（Ａｎａｌｏｇ  ｔｏ  Ｄｉｇｉｔａｌ）変換してＲ’ｓｇ、Ｉ’ｓｇの信号を生成して、同期検出＆相関部２０３及びＦＦＴ部２０６へ出力する。
【０００９】
同期検出＆相関部２０３は、入力されたＲ’ｓｇ、Ｉ’ｓｇの信号について、同期シンボル期間を検出して、シンボル期間の切れ目としてフレームパルスＦＳＴ’ｒを各部２０４、２０６〜２０８へ出力する。また、同期検出＆相関部２０３は、入力されたＲ’ｓｇ、Ｉ’ｓｇの信号について、相関出力（相関結果）ＳｃをＦＳＴ補正部２０４へ出力する。
ＦＳＴ補正部２０４は、相関出力Ｓｃを基に、制御電圧ＶＣを電圧制御クロック発振器２０５へ出力して、クロック信号ＣＫｒｃを制御する。
電圧制御クロック発振器２０５は、基準クロックＣＫｒを用いて、制御電圧ＶＣを基に、クロック信号ＣＫｒｃを発生して各部２０３、２０６〜２０８、２２３へ出力する。
【００１０】
高速フーリエ変換（ＦＦＴ：Ｆａｓｔ  Ｆｏｕｒｉｅｒ  Ｔｒａｎｓｆｏｒｍ）部２０６は、入力信号Ｒ’ｓｇ、Ｉ’ｓｇについて、ＦＳＴ’ｒからＦＦＴとして利用抽出する１０２４サンプルのデータ期間を決定するゲート信号を作成し、緩衝帯である４８サンプルのガード期間を除外し、また、入力信号Ｒ’ｓｇ、Ｉ’ｓｇの１０２４サンプル分をＦＦＴにより時間波形信号から周波数成分信号Ｒ’ｆ、Ｉ’ｆへ変換して、復号化部２０７へ出力する。
復号化部２０７は、入力信号Ｒ’ｆ、Ｉ’ｆについて、マッピング位置を識別して、その結果Ｄ’ｏを伝送路復号化部２０８へ出力する。
伝送路復号化部２０８は、入力Ｄ’ｏを処理して、連続した信号Ｄｏｕｔとして出力する。
【００１１】
次に、各部の詳細について述べる。
送信側の処理Ａ部１の動作について述べる。
伝送路符号化部１０２は、伝送中に混入の恐れがある各種エラーによるデータ誤りを防止するために、インターリーブ処理、エネルギー拡散処理、エラー訂正用符号処理等を行う。
符号化部１０３は、マッピングＲＯＭ（Ｒｅａｄ  Ｏｎｌｙ  Ｍｅｍｏｒｙ）を用いて信号ＤｉｉをＩＱ軸の所定点に変換し、また、不要キャリアに相当する期間の信号を０に置換して、ＲｆとＩｆを作成する。
【００１２】
ＩＦＦＴ部１０４は、入力信号Ｒｆ、ＩｆをＣＫとＦＳＴとでタイミングを決められたシンボル周期の時間波形Ｒ、Ｉへ変換する。具体的には、例えば、プレッシー社のＰＤＳＰ１６５１０等を用いることにより実現することができる。
ガード付加部１０５は、入力されたＲ、Ｉを１０２４サンプル遅延する遅延出力器と、１０２５サンプル目から１０７２サンプル目のみ遅延出力を選択する切り替え器からなる。得られる全１０７２サンプルからなるシンボルでは、１０２５サンプル目から１０７２サンプル目には、１サンプル目から４８サンプル目の間の時間波形が付加される。これらはＣＫとＦＳＴによってタイミングを決められる。
【００１３】
図１４には、同期シンボル挿入部１０６の構成例を示してある。
ＣＫとＦＳＴによってタイミングを決められたコントローラ３０１によって制御されるＲＯＭ３０３、３０４は、同期シンボル信号をＦＳＴに応じたタイミングで発生する。同様にＣＫとＦＳＴによってタイミングを決められたコントローラ３０２によって制御されるセレクタ３０５、３０６は、作成されたガード付時間信号Ｒｇ、Ｉｇのうちで現段階では無信号期間である１から４シンボルの期間のみ、ＲＯＭ３０３、３０４からの同期シンボル信号に切り替えて出力する。
【００１４】
ここで、同期シンボル信号は、例えば、ＮＵＬＬシンボル、１シンボル期間に１本のキャリアにしか信号成分を持たないＣＷシンボル、ＳＷＥＥＰシンボル、位相の基準を示す基準（ＲＦ）シンボルから構成される。
ＮＵＬＬ挿入の目的は、無信号であることにより同期シンボル群の存在を大まかに見つけるためであり、ＮＵＬＬシンボル期間は信号を一切出力しない。ＳＷＥＥＰ挿入の目的は、シンボル切り替わり点を正確に求めることであり、１シンボル期間に伝送帯域の下限周波数から上限周波数に変化する波形とする。
【００１５】
直交変調処理部１０７は、Ｄ／Ａ（Ｄｉｇｉｔａｌ  ｔｏ  Ａｎａｌｏｇ）変換器１１１、直交変調器１１２、ローカル発振器１１３を有している。
Ｄ／Ａ変換器１１１は実数部信号Ｒｓｇと虚数部信号ＩｓｇのＤ／Ａ変換を行う。
ローカル発振器１１３は、所定の周波数ｆｃの信号を発振して直交変調器１１２へ出力する。
直交変調器１１２は、実数部信号Ｒｓｇに対しては発振器１１３からの周波数ｆｃのキャリア信号で、一方、虚数部信号Ｉｓｇに対しては発振器１１３からの周波数ｆｃのキャリア信号を９０°移相した信号で、直交変調を施し、これらの信号を合成してＯＦＤＭ信号を得る。
【００１６】
受信側の処理Ｃ部２の動作について述べる。
ＡＧＣ部２０１は、増幅器（アンプ）２１１とレベル制御部２１２を有しており、受け取った（受信した）信号のレベルを適正レベルに修正するための制御信号Ｓａをレベル制御部２１２が発生して、当該制御信号Ｓａにより制御される増幅器２１１がレベルを変更する。
ＡＧＣ部２０１により適正レベルとなったＯＦＤＭフレーム構成信号が直交復調処理部２０２に入力される。
【００１７】
直交復調処理部２０２は、電圧制御発振器２２１、直交復調器２２２、Ａ／Ｄ変換器２２３を有している。
ここでの処理は、送信側とは逆となる。具体的には、電圧制御発振器２２１が、復号化部２０７からの制御により、周波数ｆｃ’のキャリア信号を直交復調器２２２へ出力する。直交復調器２２２は、電圧制御発振器２２１からのキャリア信号で復調したものを実数部信号として、当該キャリア信号を９０°移相して復調したものを虚数部信号として、取り出す。Ａ／Ｄ変換器２２３は、これら実数部及び虚数部の各復調アナログ信号をディジタル信号へ変換する。
【００１８】
同期検出＆相関部２０３は、受信した信号Ｒ’ｓｇ、Ｉ’ｓｇからフレームの区切りを探索してフレームの基準ＦＳＴ’ｒを出力するとともに相関出力Ｓｃを出力する。
ＦＦＴ部２０６は、ＦＳＴ’ｒパルスを基にシンボルを区切りフーリエ変換を行うことでＯＦＤＭ復調を行い、これにより得られたＲ’ｆ、Ｉ’ｆを出力する。
復号化部２０７は、例えばＲＯＭテーブル手法にて、Ｒ’ｆ、Ｉ’ｆを識別してＤ’ｏを算出する。
伝送路復号化部２０８は、逆インターリーブ処理、エネルギー逆拡散処理、エラー訂正処理等を行う。
【００１９】
図１５には、同期検出＆相関部２０３の構成例を示してある。
直交復調されたディジタル信号であるＲ’ｓｇ、Ｉ’ｓｇは、ＮＵＬＬ終了検出器４０１とＳＷＥＥＰ演算部４０２に入力される。
ＮＵＬＬ終了検出器４０１は、ＮＵＬＬ終了時期から受信ストリーム中のＳＷＥＥＰシンボル開始時期をタイマー回路にて推定して、ＳＷＥＥＰ期間指示パルス（ＳＷＥＥＰ期間フラグ）ＳＴをＳＷＥＥＰ演算部４０２及びフレームカウンタ４０３へ出力する。この場合、ＮＵＬＬ終了検出器４０１は、フレーム構成のシンボル群から同期シンボル中の無信号状態であるＮＵＬＬ期間のおおよその終了時期を検出し、フレームカウンタ４０３を３シンボル目（ＳＷＥＥＰシンボルに対応する位置）とプリセットする。すなわちシンボルの大まかな位置を検出する。
【００２０】
ＳＷＥＥＰ演算部４０２は、ＳＷＥＥＰ期間指示パルスＳＴを参照してＮＵＬＬシンボルの３シンボル後（ＳＷＥＥＰシンボルに対応する位置）に存在する波形を予想ＳＷＥＥＰ波形として取り込み、フレームパルスＦＳＴ’ｒを基準に動作するＳＷＥＥＰパターンメモリ４０４で発生される基準ＳＷＥＥＰパターンとの一致具合を演算する。
ＦＳＴ補正部２０４は、フレームパルスＦＳＴ’ｒを基準に各シンボルの正確な切り替わりタイミングとの位相ズレを算出し、受信側の基準クロックＣＫｒの補正信号を電圧制御クロック発振器２０５へ出力し、受信側のフレーム位相を伝送データに一致させる。
【００２１】
フレームカウンタ４０３は、カウント数がフレーム周期を構成する値（例えば、１０７２×９００）に到達すると、値を０に戻すとともにパルスを出力して、再カウント行い、また、以後は、一定カウントすなわちフレーム開始点毎にＦＳＴ’ｒパルスを出力して、フレーム開始時期を示す。また、フレームカウンタ４０３は、所定のタイミングで、スタートパルスをＳＷＥＥＰパターンメモリ４０４へ出力する。
ＳＷＥＥＰパターンメモリ４０４には、予め、ＳＷＥＥＰシンボルのパターンが記憶されている。
フレームカウンタ４０３は、ＮＵＬＬ終了検出器４０１からのプリセット処理でフレーム位相を粗く揃え、更に、予想ＳＷＥＥＰ波形とのズレから演算を行ってフレーム位相を正確に揃える微調を行う。
【００２２】
図１６には、ＮＵＬＬ終了検出器４０１の具体的な構成例を示してある。
図１７には、ＮＵＬＬ検出及びＳＷＥＥＰ開始位置推定動作の一例を示してある。なお、例えば、反射波が無く、高ＣＮの場合の例である。
各絶対値部５０１、５０２は、入力された各信号Ｒ’ｓｇ、Ｉ’ｓｇを絶対値化して、加算部５０３へ出力する。
加算部５０３は、入力された２つの値を加算して、その加算結果を比較部５０４へ出力する。
【００２３】
比較部５０４は、入力された加算結果と所定の閾値Ｖｔｈとを比較し、加算結果が閾値Ｖｔｈを超えない期間（図１７におけるＴ１〜Ｔ２のＮＵＬＬシンボル期間）に相当する比較結果をエッジ検出部５０５へ出力する。
エッジ検出部５０５は、入力された比較結果から信号の立ち上がりエッジを検出して遅延部５０６へ出力する。
遅延部５０６は、入力された立ち上がりエッジの信号を１シンボル遅延させて、ＳＷＥＥＰ期間指示パルス（ＳＷＥＥＰ期間フラグ）ＳＴを発生させる。
【００２４】
ＳＷＥＥＰ演算部４０２の相関出力信号Ｓｃを基に、ＦＳＴ補正部２０４はズレ検出を行って受信側サンプルレートとなるＣＫｒｃの速度を調整することで、伝送されてきた同期シンボル位相とのロック処理を行い、この結果、ＦＦＴゲートの時間的位置の誤差は消える。なお、反射波があるため、ゲート位置はシンボル期間の後部がベターである。
【００２５】
ところで、粗調整にあたる同期シンボルの検出エッジを元に決定するＳＷＥＥＰ期間フラグの時間的位置が正確であれば、 微調整にあたるＣＫｒｃの速度を調整して行うＦＦＴゲートの時間的位置の補正量が減少し、その所用時間も減少する。すなわち、より少ない時間で誤差０（ズレ無し）のゲート位置に設定することができ、最良の復号状況を達成することができる。
図１８（ａ）、（ｂ）、（ｃ）には、このような場合における相関信号Ｓｃの例を示してある。図１８（ａ）にはＦＳＴ’ｒがＳＷＥＥＰ波形と一致した場合を示してあり、図１８（ｂ）にはＦＳＴ’ｒがＳＷＥＥＰ波形より早い場合を示してあり、図１８（ｃ）にはＦＳＴ’ｒがＳＷＥＥＰ波形より遅い場合を示してある。図示されるように、鋭いピークが唯一存在する形となる。
【００２６】
次に、反射波がある時の動作、ＮＵＬＬ検出閾値との関連（高ＣＮ時を含む）について説明する。
図１９には、反射波があるときの動作の一例を示してある。
図示されるように、反射波が存在すると、検出エッジの時間的位置が遅れるため、粗調整の精度が低下し、微調整で行う補正量も増加し、ひいては微調整に要する時間が増加して、最良の復号状況への到達が遅れる。
【００２７】
反射波の影響を低減する場合、閾値Ｖｔｈを低め（例えば、０．３）に設定すれば、主波によるＮＵＬＬ終了点を検出し易くなり、粗調時のズレ量は少なくなり、上述した微調整の所用時間の延長を防止することができる。
図２０には、このような場合（反射波があり、高ＣＮの場合）における相関信号Ｓｃ（反射波混入時のＳＷＥＥＰ相関出力）の一例を示してある。図示されるように、主波による山と反射波による山が存在する形となる。
【００２８】
以上では、雑音成分の混入が少ない高ＣＮでの状態を前提としていた。
しかしながら、入力電界が低い使用条件では、雑音成分が増加し、比較結果にＮＵＬＬ期間の雑音成分で発生した偽信号が混ざる。
図２１には、入力電界が低い使用条件のとき（例えば、反射波が無く、低ＣＮのとき）の動作の一例を示してある。
こうしたことから、粗調整の精度は大幅な低下となる恐れがある。また、更に電界が弱まるとＮＵＬＬ期間の雑音成分が常にＶｔｈを越えてしまい、ＮＵＬＬ期間の終了を全く検出不能となる場合も生じる。低ＣＮでの動作を確保するためには、閾値Ｖｔｈは高め（例えば、０．８）が良い。
【００２９】
図２２には、このような場合（反射波が無く、低ＣＮの場合）における相関信号Ｓｃ（低電界時のＳＷＥＥＰ相関出力）の一例を示してある。
受信側で再生したＦＳＴ’ｒパルスを基準に取り込んだＳＷＥＥＰ信号に雑音が多く含まれるため、ＳＷＥＥＰパターンメモリ４０４の位相をずらしながら一致度を演算するが、高ＣＮ時ほどには一致度が高まらず、生じる山は緩い形となる。
【００３０】
次に、アンテナの方向調整作業について説明する。
マラソン中継等のように、移動しながらの電波伝送の場合、受信側のアンテナを移動中の送信アンテナに正確に向けて強い電波を受けるために、方向調整作業が必要となる。以後、この方向調整を方調（業界の短縮言葉）とも呼ぶ。この方調作業を容易化するために、従来の装置には、電界の強さをＡＧＣ部の制御信号Ｓａと見立てて、電界の強さに応じて低周波の周波数が変化する低周波出力部が装備されていた。
【００３１】
旧来のアナログ伝送の場合、ほとんどのケースで伝送品質は電界が強い程に良好となる。しかしながら、ディジタル伝送の場合には、電界が強くて反射波の混入が多い状態よりも、多少電界が弱くても反射波が無く主波のみ存在する状態の方が、良好な伝送状態を得られることが圧倒的に多い。
【００３２】
従来のアナログ方式は反射波の影響を大きく受けるため、見通しがある状態でのみ使用されていた。これに対して、特に、ＯＦＤＭ変調のディジタル方式は、反射の影響が少なく、見通し外で積極的に利用されることは、前述した。
しかしながら、見通し外からの伝送であるため、受信側の方向調整者は、送信側を目視することができない。このため、移動車の位置を把握する方法として、移動車からの伝送画像をモニタ確認する手法に頼ることとなる。なお、ディジタル化に伴い、受信信号を画像化するには、先ほど述べたＯＦＤＭ復調で得たディジタルデータをＭＰＥＧデコーダなどを用いて画像に復元する必要がある。このため、アナログ方式のように受信ヘッドで画像を復号することは困難である。すなわち、制御部での処理を経由しないと画像信号が得られない。
【００３３】
従って、制御部で得た画像を高周波部へ送り返すため、送り返し画像用の同軸ケーブルを敷設する必要がある。通常、受信ヘッドは見晴らしの良い高所に配置されるため、制御部との距離は、１００から２００ｍにも達する。その区間に送り返し用の同軸ケーブルを追加敷設することは、大変煩わしい作業である。また、駅伝或いはレースの本番の場合には、実際にオンエア（ＯＮ−ＡＩＲ）されている画像を見ながら、レース展開を把握して複数台の中継車にアンテナを向ける等の操作を行う必要がある。このために必要な画像を送り返す同軸ケーブルとしては、２から３本が必要となる。
なお、昨今では、明確な同期のみを対象としたシンボルも持たない構成のＯＦＤＭ変調波が多い。
【００３４】
以上説明した従来の構成において、伝送状態を把握する手段として電界の強弱やＢＥＲ状態を参考に方調を行っても、反射波の混入状況は判からず、品質の高い伝送が必ずしも実現できないという欠点が生じている。
【００３５】
ここで、既に行われた改良技術（以下で、既改良技術と言う）について説明する。
既改良技術は、遅延波の存在を示す情報を映像信号に変換して表示し、方向調整者が反射波混入の少ない電波を捕捉する操作を容易化して品質の高い伝送を実現することを第１の目的とする。
また、既改良技術は、方向調整者が多数の表示時モニタを見なくても済むように、映像化した遅延情報を他の映像信号に同期させることで、俗に言うスーパーインポーズ状態で表示することを第２の目的とする。
【００３６】
前記した第１の目的を達成するため、既改良技術では、例えば反射波の存在を表すために、伝送路復号化部から得られる相関波形、ビットエラー状態、その他を映像信号化する。
また、前記した第２の目的を達成するため、既改良技術では、映像化装置は、遅延波状態信号の更新周期に応じてメモリに取り込み、同期すべき映像信号から抽出したＨ（水平）＆Ｖ（垂直）同期に応じて当該メモリを読み出し、画像信号とする。
【００３７】
表示画像の例としては、同一映像に、時間目盛とガード期間の範囲を合わせて表示しながら、遅延プロファイル波形を表示する。また、右上にＢＥＲ状態を中サイズのドットを積み重ねたブロックで配置し、右下に電界レベルを小サイズのドットを積み重ねたブロックで数列、配置する。これらは、伝送状態に応じて変化する。なお、表示の更新は、映像信号の更新周期に依存する。
ところで、昨今、ハイビジョン伝送が主体となっているが、受信点などでのモニタ類のハイビジョン化は未了である。
【００３８】
【特許文献１】特開２００５−１４３１４６号公報
【発明の開示】
【発明が解決しようとする課題】
【００３９】
しかしながら、上記のような表示では、遅延プロファイル情報などに関してそのときの状態のみをリアルタイム表示しており、表示内容が時々刻々更新されるため、一瞬の不具合を見逃してしまうケースも生じ易い。例えば、時間軸が画面フレーム方向であり、少し（例えば、１秒）前の状態は消滅している。このため、過去（例えば、１０秒前）の状態については、人の記憶に頼るか、又は、ＶＴＲ録画すること等が必要であった。
【００４０】
本発明は、このような従来の事情に鑑み為されたもので、例えばディジタル放送システムにおける伝送状態を表示するに際して、ビット誤り率（ＢＥＲ）などの伝送状態に関する情報の時間変化を効果的に表示することができる伝送状態表示装置を提供することを目的とする。
【課題を解決するための手段】
【００４１】
上記目的を達成するため、本発明では、ディジタル伝送システムの伝送状態に関する情報を表示する伝送状態表示装置において、次のような構成とした。
すなわち、変換手段が、受信側により受信されたＨＤ（Ｈｉｇｈ  Ｄｅｆｉｎｉｔｉｏｎ）映像をＳＤ（Ｓｔａｎｄａｒｄ  Ｄｅｆｉｎｉｔｉｏｎ）映像へ変換する。取得手段が、前記伝送状態に関する情報を取得する。記憶手段が、前記取得手段により取得された情報を記憶する。表示制御手段が、前記変換手段により変換されたＳＤ映像の上側又は下側の映像非表示部分の一方又は両方に、前記記憶手段に記憶された情報の時間変化のグラフが配置されるように、当該ＳＤ映像及び当該グラフを画面に表示する。
【００４２】
従って、ＨＤ映像からダウンコンバートされたＳＤ映像の上側の映像非表示部分、或いは下側の映像非表示部分、或いは上側と下側の両方の映像非表示部分に、伝送状態に関する情報の時間変化のグラフ（履歴の情報）が表示されるため、例えばディジタル放送システムにおける伝送状態を表示するに際して、ビット誤り率（ＢＥＲ）などの伝送状態に関する情報の時間変化を効果的に表示することができる。
【００４３】
ここで、伝送状態に関する情報としては、種々なものが用いられてもよく、例えば、電界強度、ＢＥＲ、反射波の有無やレベル、遅延プロファイル、リードソロモン（ＲＳ）のエラーの有無などの情報を用いることができ、具体例として、方調作業に有用な種々な情報を用いることができる。
また、伝送状態に関する情報を取得する仕方としては、例えば、受信側の受信処理部などにより取得された伝送状態に関する情報を入力して取得する仕方や、或いは、受信信号に基づいて自ら演算などを行って伝送状態に関する情報を取得する仕方などを用いることができる。
また、記憶手段としては、例えば、メモリを用いて構成することができる。
【００４４】
本発明に係る伝送状態表示装置では、一構成例として、次のような構成とした。
すなわち、受付手段が、前記変換手段により変換されたＳＤ映像が前記画面に表示されるときにおける当該ＳＤ映像の上側と下側の映像非表示部分の割合を変更する指示を人から受け付ける。変更手段が、前記受付手段により受け付けられた指示に従って、前記ＳＤ映像の上側と下側の映像非表示部分の割合を変更する。
【００４５】
従って、画面表示におけるＳＤ映像の上側と下側の映像非表示部分の割合を人により変更することができるため、例えば、下側のみに情報を表示させるときには下側を上側より大きくすることや、或いは、上側のみに情報を表示させるときには上側を下側より大きくすることや、或いは、上側と下側の両方に情報を表示させるが下側により多くの情報を表示させるときには下側を上側より大きくすることなどができ、表示内容を視覚的に見易くすることができる。
【００４６】
ここで、例えば、ＳＤ映像は画面の垂直方向（上下方向）の中央に位置させられてもよく、また、上側又は下側の映像非表示部分が無い状態にされてもよい。
また、上側と下側の映像非表示部分の割合を変更する仕方としては、例えば、複数の割合の候補をユーザ（人）に対して提示してその中から選択させる仕方や、或いは、ユーザによる操作部の操作に応じて割合を連続的に又は離散的に変化させる仕方などを用いることができる。
【００４７】
本発明に係る伝送状態表示装置では、一構成例として、次のような構成とした。
すなわち、送信側から受信側へ伝送されるＨＤ映像は、移動中継の映像である。
異常検出手段が、前記伝送状態に関する情報について、異常を検出する。前記表示制御手段は、前記異常検出手段により異常が検出された場合には、前記グラフにおける当該異常が検出された位置に対応させて、当該異常が検出された前記移動中継における距離の値を前記画面に表示する。
【００４８】
従って、例えばマラソンや駅伝競走などのリハーサルにおいて、その移動中継の映像を画面に表示するに際して、伝送状態に異常が検出された場合には、その異常の位置に対応して移動中継における距離の値（例えば、「〜ｋｍ」）が表示されるため、どの距離において異常が発生したかを容易に把握することができ、方調作業などに役立てることができる。
【００４９】
ここで、伝送状態に関する情報について異常を検出する仕方としては、種々な仕方が用いられてもよく、例えば、伝送状態に関する情報について閾値を予め設けておいて、当該情報（値）と当該閾値との大小関係に応じて当該伝送状態が当該閾値よりも劣化したとみなされる場合に、異常が発生したことを検出するような仕方を用いることができる。
また、グラフにおける異常が検出された位置に対応させて距離の値を表示する態様としては、例えば、当該位置にちょうど表示する態様ばかりでなく、当該位置の付近に表示する態様や、或いは、当該位置を色や模様で区別して示しつつ、他の離れた領域に距離の値を表示する態様などを用いることも可能である。
【発明の効果】
【００５０】
以上説明したように、本発明に係る伝送状態表示装置によると、例えばディジタル放送システムにおける伝送状態を表示するに際して、ビット誤り率（ＢＥＲ）などの伝送状態に関する情報の時間変化を効果的に表示することができ、方調作業に役立てることなどができる。
【発明を実施するための最良の形態】
【００５１】
本発明に係る実施例を図面を参照して説明する。
本実施例では、ディジタル放送システムにおいて、移動中継局である送信側のＦＰＵ（Ｆｉｅｌｄ  Ｐｉｃｋ−ｕｐ  Ｕｎｉｔ）の処理部（本例では、処理Ａ部）から受信側の処理部（本例では、処理Ｃ部）へＨＤ（Ｈｉｇｈ  Ｄｅｆｉｎｉｔｉｏｎ）映像の信号を無線により伝送する伝送システムに本発明を適用した場合を示す。
【００５２】
図１には、本発明の一実施例に係る伝送システムの全体的な構成例を示してある。
本例の伝送装置は、送信側に、処理Ａ部１を備えており、また、受信側に、処理Ｃ部２と、伝送状態映像変換部３と、履歴記憶表示部４と、ダウンコンバート部５と、例えば加算器からなる合成部６を備えている。
【００５３】
本例の伝送システムでは、ＨＤ映像の信号が、処理Ａ部１に入力されて、当該処理Ａ部１から処理Ｃ部２へ例えば無線電波により伝送されて出力される。この出力されるＨＤ映像の信号は、分岐されてダウンコンバータ部５を介して、ＳＤ（Ｓｔａｎｄａｒｄ  Ｄｅｆｉｎｉｔｉｏｎ）映像の信号として合成部６に入力される。
また、処理Ｃ部２から伝送状態映像変換部３へ、ＡＧＣの制御信号Ｓａ、相関演算信号Ｓｃ、ＢＥＲ状態を示すＳｂ信号が出力される。また、処理Ｃ部２から履歴記憶表示部４へ、ＢＥＲ状態を示すＳｂ信号が出力される。
【００５４】
また、伝送状態映像変換部３は、同期信号Ｃ．ＳＹＮＣを履歴記憶表示部４へ出力し、受信状態映像信号を合成部６へ出力する。また、履歴記憶表示部４は、履歴映像信号を合成部６へ出力する。
合成部６は、入力されたＳＤ映像、受信状態映像信号、履歴映像信号を合成して出力する。
【００５５】
ここで、送信側の処理Ａ部１や受信側の処理Ｃ部２としては、それぞれ、例えば、図１３に示されるものと同様なものを用いることができる。
伝送状態映像変換部３は、本例では、時間目盛と、ガード期間の範囲と、ＢＥＲ状態と、電界レベルの情報を含む受信状態映像信号を合成部６へ出力する。
履歴記憶表示部４は、本例では、ＢＥＲ状態の時間変化の履歴情報を含む履歴映像信号を合成部６へ出力する。
ダウンコンバート部５は、処理Ｃ部２から入力されたＨＤ映像の信号をＳＤ映像の信号へ変換（ダウンコンバート）して合成部６へ出力する。
合成部６は、ダウンコンバート部５から入力されたＳＤ映像信号の映像と、伝送状態映像変換部３から入力された受信状態映像信号の映像と、履歴記憶表示部４から入力された履歴映像信号の映像が重ね合わせて表示される（スーパーインポーズされる）ように、これらの合成結果を出力する。
【００５６】
図２には、ダウンコンバートした画面に、伝送状態、履歴、その他を表示した状態（表示映像画像）の一例を示してある。これは、合成部６から出力された信号に基づくＳＤ映像や各種の情報がディスプレイなどの表示装置の画面に表示された結果の一例である。
本例の画面表示では、画面の上下方向の中央付近にＳＤ映像が表示されており、そのＳＤ映像の上側と下側に空き領域が存在している。
【００５７】
ＳＤ映像の表示領域には、時間目盛と、ガード期間の範囲と、遅延プロファイルと、ＢＥＲと、電界レベルの情報が表示される。具体的には、同一映像に、時間目盛とガード期間の範囲を合わせて表示しながら、遅延プロファイル波形を表示している。また、右上にＢＥＲ状態を中サイズのドットを積み重ねたブロックで配置し、右下に電界レベルを小サイズのドットを積み重ねたブロックで数列、配置している。
ここで、時間目盛は、右側の方が過去を表しており、例えば、全体で１０ｍｓなどの時間幅を表している。
また、ＢＥＲ状態や電界レベルは、その値が大きくなるほど、右の方から左の方へブロックの数が増えていく。
【００５８】
また、ＳＤ映像の下側の空き領域には、ＢＥＲ履歴（ＢＥＲ状態の時間変化の履歴）の情報が表示される。
ここで、ＢＥＲ履歴の情報では、右側の方が過去を表しており、例えば、全体で６０秒などの時間幅を表している。
また、ＢＥＲ履歴の情報（グラフ）では、上側の方がＢＥＲの値が小さく、下側の方がＢＥＲの値が大きい。
【００５９】
ここで、ハイビジョンのＨＤ映像と、それがダウンコンバートされたＳＤ映像について説明する。
ＨＤ映像は、水平（横）方向１６×垂直（縦）方向９の大きさを有する。一方、ＳＤ映像は、水平（横）方向４×垂直（縦）方向３（＝１６×１２）の大きさを有する。
このため、ＨＤ映像をダウンコンバートしてＳＤ映像用の画面に表示させると、上下方向に（３／１２）だけ空き領域ができる。例えば、上下方向の中央にダウンコンバート映像を表示させると、上下のそれぞれに、（１／８）ずつの空き領域ができる。
このような空き領域は、通常は、黒色の映像が表示され（有意な映像は表示されず）、不要な部分となる。そこで、本例では、このような空き領域に、ＢＥＲ履歴の情報を表示させて、有効に利用している。
なお、このようなダウンコンバート映像の表示は、レターボックス（レターＢＯＸ）表示となり、映像表示部分と、映像非表示部分（空き領域）が生じる。
【００６０】
図３には、伝送状態映像変換部３の構成例を示してある。
制御信号Ｓａは、電界−映像変換部３−１に入力される。電界−映像変換部３−１からの出力は、映像統合部３−４に入力される。
ＢＥＲ状態を表す信号Ｓｂは、ＢＥＲ−映像変換部３−２に入力される。ＢＥＲ−映像変換部３−２からの出力は、映像統合部３−４に入力される。
相関出力を表す信号Ｓｃは、遅延プロファイル−映像変換部３−３に入力される。遅延プロファイル−映像変換部３−３からの出力は、映像統合部３−４に入力される。
また、遅延プロファイル−映像変換部３−３には、信号ＦＳＴ’ｒが入力される。
【００６１】
映像統合部３−４からの同期信号Ｃ．ＳＹＮＣは、電界−映像変換部３−１、ＢＥＲ−映像変換部３−２、遅延プロファイル−映像変換部３−３の同期入力端子に接続（入力）され、また、履歴記憶表示部４の同期入力端子に接続（入力）される。映像統合部３−４からは、伝送状態映像信号が出力される。
電界−映像変換部３−１、ＢＥＲ−映像変換部３−２、遅延プロファイル−映像変換部３−３は、Ｃ．ＳＹＮＣ信号の入力に従って、それぞれの状態を示す各信号を映像信号に変換する。映像統合部３−４は、映像化された各信号を統合し、映像用の同期信号を付加して、出力する。
【００６２】
図４には、履歴記憶表示部４の構成例を示してある。
図５には、各信号の時間変化の一例を示してある。
本例では、映像フレーム毎のＢＥＲの値が５段階に離散化されている。
また、フレーム毎に、信号Ｃ．ＳＹＮＣがそれを示し、所定のタイミングパルスＷ１、Ｒ１が発生させられる。
【００６３】
ＢＥＲ状態を表す信号Ｓｂは、メモリ４−５に入力されて記憶される。
同期信号Ｃ．ＳＹＮＣは、タイミングパルス発生器４−１に入力される。
タイミングパルス発生器４−１は、信号Ｃ．ＳＹＮＣに基づいて、各種の信号ＹＵ、ＴＨ、Ｗ１、Ｒ１を生成し、ゲートを開く位置（タイミング）を表すゲート制御信号ＹＵをゲート４−７へ出力し、５段階の階段状の閾値を表す閾値信号ＴＨを比較部４−６へ出力し、メモリライトに関するタイミングパルスＷ１をカウンタＷ４−２へ出力し、メモリリードに関するタイミングパルスＲ１をカウンタＲ４−３へ出力する。
【００６４】
カウンタＷ４−２は、タイミングパルスＷ１に基づく書き込みアドレス信号ＡＤＤｗをメモリ４−５に入力するとともに、当該信号ＡＤＤｗを読み出しリセット信号ＲＲＳＴとして加算器４−４に入力する。これにより、メモリ４−５へは、毎フレーム毎のＢＥＲのデータＤＳｂが、書き込みアドレス値を増しながら書き込まれる。
カウンタＲ４−３は、タイミングパルスＲ１に基づいて、５回分ののこぎり波状の信号を加算器４−４に入力する。
【００６５】
加算器４−４は、カウンタＷ４−２からの入力とカウンタＲ４−３からの入力を加算して、当該加算結果を読み出しアドレス信号ＡＤＤｒとしてメモリ４−５へ出力する。これにより、メモリ４−５からは、毎フレーム毎に、過去における所定期間のＢＥＲのデータＤ’Ｓｂが５回分、比較部４−６に読み出される。
なお、本例では、メモリ４−５としては、ＢＥＲのデータを１０分間のフレーム分だけ記憶することが可能なループメモリが用いられている。
【００６６】
比較部４−６は、メモリ４−５から入力されたＢＥＲのデータの値と閾値ＴＨとを比較して、これらが一致したことを示すＬＥ信号をゲート４−７へ出力する。このとき、５段階の閾値ＴＨについて、１段階ずつ、走査線を所定数（例えば、１つ）ずつ下へ移動させて行く。この５段階分を重ね合わせることにより、図２に示されるようなＢＥＲ履歴のグラフ（垂直方向がＢＥＲの値を表し、水平方向が時間を表すもの）が形成される。
ゲート４−７は、ゲート制御信号ＹＵに従って、比較部４−６からの比較結果により形成されるＢＥＲ履歴（ＢＥＲの時間変化）の映像化信号を出力する。
【００６７】
図６には、数フレームにおける、各フレーム毎の状況の一例を示してある。
具体的には、各フレームの位置（タイミング）を表す信号（タイミングパルス）と、メモリ４−５への書き込みアドレスを表す信号ＡＤＤｗと、メモリ４−５からの読み出しアドレスを表す信号ＡＤＤｒと、ＢＥＲ履歴（他のものは省略）についての表示画面を示してある。
１フレーム目においては、ＢＥＲ値を番地（Ｎ＋１）へ書き込む。そして、番地（Ｎ＋１）〜番地（Ｎ−６０）を読み出す。２フレーム目においては、ＢＥＲ値を番地（Ｎ＋２）へ書き込む。そして、番地（Ｎ＋２）〜番地（Ｎ−５９）を読み出す。以降も同様に繰り返す。
【００６８】
この結果、最新のＢＥＲ値が左端に読み出されて表示され、以降は、１フレーム前のＢＥＲ値、２フレーム前のＢＥＲ値、・・・という順で、読み出しと表示が行われる。
この表示範囲としては、本例では、ダウンコンバートした映像の未表示エリアとしている。
【００６９】
次に、短期のＢＥＲ履歴の情報と長期のＢＥＲ履歴の情報を同一画面に表示する構成及び動作について説明する。
図７には、履歴記憶表示部（短期＆長期対応）４ｂの構成例を示してある。
図８には、各信号の時間変化の一例を示してある。
ここで、タイミングパルス発生器４ｂ−１、カウンタＷ４ｂ−２、カウンタＲ４ｂ−３、加算器４ｂ−４、メモリ４ｂ−８、比較部４ｂ−９、ゲート４ｂ−１１により、図４に示されるのと同様な機能が実現されており、短期のＢＥＲの履歴の映像化信号（本例では、１分計）が出力される。
【００７０】
また、本例では、更に、長期のＢＥＲの履歴の映像化信号（本例では、１０分計）を出力する機能が備えられている。
タイミングパルス発生器４ｂ−１は、閾値信号ＴＨｂを比較部４ｂ−１０へ出力し、ゲート制御信号ＹＵｂをゲート４ｂ−１３へ出力し、セレクタの制御信号Ｓｅｌ＿ＡＤＤｒをセレクタ４ｂ−７へ出力する。
カウンタ４ｂ−２からの出力は、加算器４ｂ−６にも入力される。
カウンタ（Ｒｂ）４ｂ−５は、高速カウンタであり、所定ののこぎり波状の信号を加算器４ｂ−６へ出力する。当該のこぎり波状の信号は、カウンタＲ４ｂ−３から出力されるものを高速化したものに相当する。
【００７１】
加算器４ｂ−４は、加算結果ＡＤＤｒをセレクタ４ｂ−７へ出力する。
加算器４ｂ−６は、カウンタ（Ｒｂ）４ｂ−５からの入力とカウンタＷ４ｂ−２からの入力を加算し、当該加算結果を読み出しアドレス信号ＡＤＤｒｂとしてセレクタ４ｂ−７へ出力する。
セレクタ４ｂ−７は、入力される制御信号Ｓｅｌ＿ＡＤＤｒに従って、１分計の読み出しアドレス信号ＡＤＤｒと１０分計の読み出しアドレス信号ＡＤＤｒｂを切り替えて、いずれか一方を読み出しアドレス信号ＡＤＤｃとしてメモリ４ｂ−８へ出力する。
本例では、このようにして、メモリ４ｂ−８からの読み出しを時分割で制御している。
【００７２】
比較部４ｂ−１３は、メモリ４ｂ−８から入力されたＢＥＲのデータの値と閾値ＴＨｂとを比較して、これらが一致したことを示すＬＥｂ信号をピークホールド部４ｂ−１２へ出力する。
ピークホールド部４ｂ−１２は、入力信号についてピークホールド処理を行い、その結果ＬＥｂｈをゲート４ｂ−１３へ出力する。ここで、本例では、ピークホールド処理は、一瞬のＢＥＲ劣化などをディスプレイの解像度まで引き伸ばすために行われている。つまり、時間幅が縮小され過ぎて表示分解能以下となり得るため、時間方向にピークホールドして表示幅を確保している。
ゲート４ｂ−１３は、ゲート制御信号ＹＵｂに従って、ピークホールド部４ｂ−１２からの入力信号により形成されるＢＥＲ履歴（ＢＥＲの時間変化）の映像化信号（本例では、１０分計）を出力する。
この場合、履歴映像信号には、２つのＢＥＲ履歴の情報が含まれる。
【００７３】
図９には、数フレームにおける、各フレーム毎の状況の一例を示してある。
具体的には、各フレーム毎に、上側に表示される１０分計のＢＥＲ履歴及び下側に表示される１分計のＢＥＲ履歴（他のものは省略）についての表示画面を示してある。
【００７４】
次に、ＢＥＲ履歴の情報と、ＢＥＲが劣化したときの縮小画像（サムネイル）の情報を同一画面に表示する構成及び動作について説明する。
図１０には、履歴記憶表示部４ｃの構成例を示してある。
ここで、タイミングパルス発生器４ｃ−１、カウンタＷ４ｃ−２、カウンタＲ４ｃ−３、加算器４ｃ−４、メモリ４ｃ−５、比較部４ｃ−６、ゲート４ｃ−７により、図４に示されるのと同様な機能が実現されており、ＢＥＲの履歴の映像化信号が出力される。
【００７５】
フレームメモリコントローラ４ｃ−８は、ＢＥＲ状態の信号Ｓｂを入力して、例えば、ＢＥＲ状態が劣化したとき（一例として、ＢＥＲの値が１になったとき）に、ダウンコンバート後の映像出力（復号映像）をフレームメモリ４ｃ−９に記憶させる。
また、フレームメモリコントローラ４ｃ−８は、比較部４ｃ−６からの出力信号ＬＥを入力して、ＢＥＲ状態が劣化したときのグラフ位置に合わせて、フレームメモリ４ｃ−９に記憶された映像をＯＲ回路４ｃ−１０へ読み出す。
【００７６】
ＯＲ回路４ｃ−１０は、複数枚分のフレームメモリ４ｃ−９から出力された映像のＯＲ結果（通常は、ある１枚のフレームメモリからの映像）を縮小復号映像として出力する。
この場合、履歴映像信号には、ＢＥＲ履歴の情報と、サムネイルの情報が含まれる。
【００７７】
図１１には、数フレームにおける、各フレーム毎の状況の一例を示してある。
具体的には、各フレーム毎に、上側に表示される１０分計のＢＥＲ履歴及び下側に表示される１分計のＢＥＲ履歴、ＢＥＲが劣化したときのサムネイル画像（他のものは省略）についての表示画面を示してある。
【００７８】
ここで、本例では、短期のＢＥＲの履歴の情報と、長期のＢＥＲの履歴の情報と、ＢＥＲが劣化したときのサムネイル画像（縮小映像）の情報を画面に表示するための構成や動作について説明したが、他の種々な情報が画面に表示されてもよい。
具体例として、リードソロモン（ＲＳ）の符号に関する誤り有無の情報を画面に表示することも可能である。この場合、例えば、送信側では、送信対象となるデータに対して、リードソロモン符号化、畳み込み符号化を行い、受信側では、受信データに対して、畳み込み復号化を行ってＢＥＲを検出した後に、リードソロモン訂正を行ってリードソロモンのオン／オフ（誤りの有無）を検出する。
また、ＢＥＲやリードソロモン以外にも、例えば、コンスタレーション、遅延プロファイル、電界レベルなどの様々なものに関する評価値について、時間変化（履歴）を表示することが可能である。
なお、これら各種の情報の時間変化を表示させるための機能は、例えば、履歴記憶表示部４や伝送状態映像変換部３などに備えられる。
【００７９】
また、例えば、図１に示されるダウンコンバート部５或いは合成部６などにより、ＳＤ画像を画面に表示する上下方向の位置を中央以外の位置に設定することも可能である。これにより、画面に表示されるＳＤ画像の上側の空き領域の大きさと下側の空き領域の大きさを所望のもの（例えば、上下で異なる大きさのもの）に設定することができる。
この場合、ＳＤ画像を画面に表示する上下方向の位置は、例えば、予め固定的にダウンコンバート部５或いは合成部６などに設定されていてもよく、又は、ユーザ（人）による操作部の操作や外部の装置からの制御信号によりダウンコンバート部５或いは合成部６などを制御することにより、任意に調整することが可能な構成が用いられてもよい。
一例として、ダウンコンバート部５において、出力するＳＤ映像のスタート時点をずらすことで、当該ＳＤ映像が表示される上下方向の位置を調整することが可能である。
【００８０】
図１２には、画面の表示画像の一例を示してある。
本例の画面では、レターボックス表示により、ＳＤ映像が上下方向の中央よりやや上方の位置に表示されている。
そして、上側の空き領域には、過去１０分程度のＢＥＲ履歴の情報が表示されている。
また、下側の空き領域には、過去１分間程度について、０（例えば、オフ）又は１（例えば、オン）で表されるリードソロモンエラー（ＲＳ−ＮＧ）の情報と、ＢＥＲ履歴の情報が表示されている。また、リードソロモンエラー（ＲＳ−ＮＧ）のとき（アラート時）に対応した位置に、そのときにおける映像のサムネイル画像（左側のサムネイル画像）が表示されている。また、リードソロモンエラー（ＲＳ−ＮＧ）は出ていないが、ＢＥＲ状態が劣化した位置に、そのときにおける映像のサムネイル画像（右側のサムネイル画像）が表示されている。
【００８１】
ここで、例えば、マラソン中継のように、ある地点から他のある地点までを移動しながら映像を撮影して行くような場合には、リードソロモンエラー（ＲＳ−ＮＧ）のとき又はＢＥＲが劣化したときなどに対応した位置に、距離を示すデータ（例えば、「１０．０ｋｍ」や「１５．５ｋｍ」など）を表示するようなことも可能である。この表示例が、図１２に示されている。
また、履歴記憶表示部４などに、リードソロモンの判定状態や、又は、ＢＥＲの値などに応じて、履歴を表示する色や模様などを変化させる機能を持たせることも可能である。これにより、ＢＥＲ等の時間変化を視覚的に見易くすることができ、また、ＢＥＲ等の良否や、ＢＥＲ等の劣化による警告などを見易くすることができる。
【００８２】
以上のように、本例のＯＦＤＭ信号等のディジタル伝送システムの受信側では、受信処理部（本例では、処理Ｃ部２）からＢＥＲの値等の状態に関する信号を取り出す機能と、ＢＥＲ等の状態を記憶するメモリと、ＢＥＲ等の現在の状態をメモリに書き込む機能と、メモリからＢＥＲ等の履歴情報を読み出す機能と、読み出した履歴情報を表示画像へ変換する機能と、このような履歴情報を復号映像に重畳して表示する機能を備えた。
【００８３】
また、本例の受信側では、受信した映像をダウンコンバートする処理部（本例では、ダウンコンバート部５）を備え、映像未表示相当エリアに対応して、メモリから履歴情報を読み出しするシフト機能付き読み出し部を備えた。これにより、時間の経過毎に、表示が横方向にずれて行く。
具体的には、ＨＤ映像からＳＤ映像へ変換（ダウンコンバート）してＳＤモニタに表示すると、映像の上下に空きができることから、ダウンコンバートしたレターボックスの空き部分に、ＢＥＲ等の過去の履歴状態のグラフ（例えば、２０秒、１分、１０分など）を、横軸に時間を表して、表示する。例えば、画面左端が現在状態を表し、１ｃｍ右は１秒前、２ｃｍ右は２秒前などのようになる。
【００８４】
また、本例の受信側では、ダウンコンバートしたＳＤ映像をモニタ上に表示する垂直方向（上下方向）の位置をユーザ（人）により選択或いは調整などすることが可能な構成とすることができる。
具体的には、例えば、レターボックスの映像表示部分の位置を垂直方向に任意に移動させることにより、映像非表示部分の上下の割合を任意に変更することができる。
【００８５】
また、本例の受信側では、例えば履歴記憶表示部４などに、受信状態が異常になったことを検知する検知器と、受信映像を縮小画像化する生成部を備え、異常状態が発生した時に対応した位置に、それに対応した縮小画像（サムネイル画像）を表示する。
また、本例の受信側では、マラソンや駅伝競走などの移動中継で、異常状態が発生した時に対応した位置に、距離表示（例えば、ｋｍ表示）を行うことができる。
このように、映像非表示部分に表示される電波受信状況の劣化部分に、その距離のサムネイル映像やその距離の値を表示することができる。
【００８６】
また、本例の受信側では、電波受信状況の状態に応じて、映像非表示部分に表示される履歴情報（の該当箇所など）を色や模様などを変えて表示することができる。
また、本例の受信側では、履歴の読み出し範囲を拡大した形で、一旦読み出しを行って、画面の上部などに、表示することができる。具体例として、２種類以上の時間軸スケールを同時に表示することができる。例えば、下部に２０秒計或いは１分計などを表示し、上部に３分計或いは１０分計などを表示する。
【００８７】
従って、本例のディジタル伝送システムの受信側では、例えば、電界状態、反射波の有無及びレベル、ＢＥＲの状態などを映像信号化したディジタル伝送装置を実現することができ、電界以外の状態についても瞬時に視覚的に把握することができ、過去の履歴状態を把握する作業を容易化することができ、より正確な方調作業を容易に実施することができる。また、映像信号化したことで、表示する装置としては、一般的なＶＩＤＥＯモニタを使用することが可能であるため、状況に応じて最適なサイズの表示が可能となる。
また、伝送状態を測定収集する際に、映像信号の形態に変換してあるため、ＶＨＳやベータカム等のＶＴＲに録画することで、大量のデータを容易且つ安価に記録することができる。
【００８８】
具体例として、マラソンや駅伝競走のＦＰＵ中継では、予めリハーサルをしてコースの電波受信状況を確認している。
その際、映像を送信できている状況について、従来では、電波受信状況の現在状況のみを表示しており、余裕がある状態であるのか或いは余裕が無く紙一重の状態で送信できているのかが分からなかった。
現在、多くの放送局では、財政的な面から、購入済のＳＤ対応の映像表示モニタを使用しており、ＨＤ信号についてはＳＤ信号へダウンコンバートして表示している。
【００８９】
そこで、本例では、ＨＤ信号（画面表示  横：縦＝１６：９）からＳＤ信号（画面表示  横：縦＝４：３）へダウンコンバートして表示した際に、それぞれの映像の縦横比から画面の上下に黒い映像非表示部分ができるレターボックス形式とし、その映像非表示部分に、右側が過去で左側が現在となるように水平方向を時間軸として、電波受信状況をスーパーインポーズで表示する。
これにより、例えば、ＦＰＵ移動中継において、電界強度、ＢＥＲ、反射波の有無とレベル、遅延プロファイルなどの履歴情報を、水平方向を時間軸にとって、映像信号化し、スーパーインポーズで表示することで、方調作業を容易に正確に行うことを可能とするができる。
【００９０】
なお、本例の伝送システムでは、履歴記憶表示部４やダウンコンバート部５や合成部６や表示画面（例えば、ディスプレイ）の機能により、伝送状態表示装置が構成されている。
本例の伝送状態表示装置では、ダウンコンバート部５がＨＤ映像をＳＤ映像へ変換する機能により変換手段が構成されており、履歴記憶表示部４により受信側の処理Ｃ部２からＢＥＲ状態などの伝送状態に関する情報を取得する機能により取得手段が構成されており、取得された情報をメモリ（例えば、メモリ４−５）により記憶する機能により記憶手段が構成されており、ダウンコンバート部５と履歴記憶表示部４と合成部６によりＳＤ映像とＢＥＲ状態などの時間変化のグラフを画面に表示させる機能により表示制御手段が構成されている。
【００９１】
また、本例の伝送状態表示装置では、例えば、ダウンコンバート部５などに対してＳＤ映像の上側と下側の映像非表示部分の割合を変更する指示を人から受け付けるための操作部の機能により受付手段が構成されており、ダウンコンバート部５などが当該指示に従ってＳＤ映像の上側と下側の映像非表示部分の割合を変更する機能により変更手段が構成されている。
また、本例の伝送状態表示装置では、例えばフレームメモリコントローラ４ｃ−８により伝送状態に関する情報について異常（本例では、ＢＥＲ等の所定の劣化）を検出する機能により異常検出手段が構成されており、異常が検出された場合に、移動中継における対応する距離の値を表示することが行われる。
【００９２】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
また、図１３以降に示すＯＦＤＭ変調方式では、特殊シンボルを含むタイプを例として説明したが、標準規格である「ＡＲＩＢ−ＳＴＤ−Ｂ３３」（社団法人  電波産業会）に記載の特殊シンボルを持たないＯＦＤＭ変調方式においても適用可能である。
【図面の簡単な説明】
【００９３】
【図１】本発明の一実施例に係る伝送システムの構成例を示す図である。
【図２】画面の表示画像の一例を示す図である。
【図３】伝送状態映像変換部の構成例を示す図である。
【図４】履歴記憶表示部の構成例を示す図である。
【図５】各信号の時間変化の一例を示す図である。
【図６】各フレーム毎の状況の一例を示す図である。
【図７】履歴記憶表示部の他の構成例を示す図である。
【図８】各信号の時間変化の一例を示す図である。
【図９】各フレーム毎の状況の一例を示す図である。
【図１０】履歴記憶表示部の他の構成例を示す図である。
【図１１】各フレーム毎の状況の一例を示す図である。
【図１２】画面の表示画像の一例を示す図である。
【図１３】ＯＦＤＭ変復調装置の構成例を示す図である。
【図１４】同期シンボル挿入部の構成例を示す図である。
【図１５】同期検出＆相関部の構成例を示す図である。
【図１６】ＮＵＬＬ終了検出器の構成例を示す図である。
【図１７】ＮＵＬＬ検出及びＳＷＥＥＰ開始位置推定動作の一例を示す図である。
【図１８】（ａ）〜（ｃ）は相関信号の例を示す図である。
【図１９】反射波があるときの動作の一例を示す図である。
【図２０】相関信号の一例を示す図である。
【図２１】入力電界が低い使用条件のときの動作の一例を示す図である。
【図２２】相関信号の一例を示す図である。
【符号の説明】
【００９４】
１・・送信側の処理Ａ部、  ２・・受信側の処理Ｃ部、  ３・・伝送状態映像変換部、  ４、４ｂ、４ｃ・・履歴記憶表示部、  ５・・ダウンコンバート部、  ６・・合成部、  ３−１・・電界−映像変換部、  ３−２・・ＢＥＲ−映像変換部、  ３−３・・遅延プロファイル−映像変換部、  ３−４・・映像統合部、  ４−１、４ｂ−１、４ｃ−１・・タイミングパルス発生器、  ４−２、４−３、４ｂ−２、４ｂ−３、４ｂ−５、４ｃ−２、４ｃ−３・・カウンタ、  ４−４、４ｂ−４、４ｂ−６、４ｃ−４・・加算器、  ４−５、４ｂ−８、４ｃ−５・・メモリ、  ４−６、４ｂ−９、４ｂ−１０、４ｃ−６・・比較部、  ４−７、４ｂ−１１、４ｂ−１３、４ｃ−７・・ゲート、  ４ｂ−７・・セレクタ、  ４ｂ−１２・・ピークホールド部、  ４ｃ−８・・フレームメモリコントローラ、  ４ｃ−９・・フレームメモリ、  ４ｃ−１０・・ＯＲ回路、
１０１・・クロック発振器、  １０２・・伝送路符号化部、  １０３・・符号化部、  １０４・・ＩＦＦＴ部、  １０５・・ガード付加部、  １０６・・同期シンボル挿入部、  １０７・・直交変調処理部、  １１１・・Ｄ／Ａ変換器、  １１２・・直交変調器、  １１３・・ローカル発振器、  ２０１・・ＡＧＣ部、  ２０２・・直交復調処理部、  ２０３・・同期検出＆相関部、  ２０４・・ＦＳＴ補正部、  ２０５・・電圧制御クロック発振器、  ２０６・・ＦＦＴ部、  ２０７・・復号化部、  ２０８・・伝送路復号化部、  ２１１・・増幅器、  ２１２・・レベル制御部、  ２２１・・発振器、  ２２２・・直交復調器、  ２２３・・Ａ／Ｄ変換器、  ３０１、３０２・・コントローラ、  ３０３、３０４・・ＲＯＭ、  ３０５、３０６・・セレクタ、  ４０１・・ＮＵＬＬ終了検出器、  ４０２・・ＳＷＥＥＰ演算部、  ４０３・・フレームカウンタ、  ４０４・・ＳＷＥＥＰパターンメモリ、  ５０１、５０２・・絶対値部、  ５０３・・加算部、  ５０４・・比較部、  ５０５・・エッジ検出部、  ５０６・・遅延部、
【図１】
2010016675.tif 000004
【図２】
2010016675.tif 000005
【図３】
2010016675.tif 000006
【図４】
2010016675.tif 000007
【図５】
2010016675.tif 000008
【図６】
2010016675.tif 000009
【図７】
2010016675.tif 000010
【図８】
2010016675.tif 000011
【図９】
2010016675.tif 000012
【図１０】
2010016675.tif 000013
【図１１】
2010016675.tif 000014
【図１２】
2010016675.tif 000015
【図１３】
2010016675.tif 000016
【図１４】
2010016675.tif 000017
【図１５】
2010016675.tif 000018
【図１６】
2010016675.tif 000019
【図１７】
2010016675.tif 000020
【図１８】
2010016675.tif 000021
【図１９】
2010016675.tif 000022
【図２０】
2010016675.tif 000023
【図２１】
2010016675.tif 000024
【図２２】
2010016675.tif 000025